(57)【特許請求の範囲】
【請求項１】
４個の通過帯域を順次巡回的に切り替えて各通過帯域の周波数のレベル信号を時分割的に出力する同一構成の２個のスイッチドキャパシタ型のバンドパスフィルタ回路を具備し、両バンドパスフィルタ回路に同一の信号を入力させ、一方のバンドパスフィルタ回路の動作クロック周波数ｆｃ’を他方のバンドパスフィルタ回路の動作クロック周波数ｆｃに対して、
ｆｃ’＝（５／１２）・ｆｃ
に設定し、且つ、４個のうちのｎ（ｎ＝２〜４）番目の通過周波数ｆｎをｎ−１番目の通過周波数ｆｎ−１に対して、
ｆｎ＝６・ｆｎ−１
に設定したことを特徴とするバンドパスフィルタ装置。
【請求項２】
８個の通過帯域を順次巡回的に切り替えて各通過帯域の周波数のレベル信号を時分割的に出力する同一構成の２個のスイッチドキャパシタ型のバンドパスフィルタ回路を具備し、両バンドパスフィルタ回路に同一の信号を入力させ、一方のバンドパスフィルタ回路の動作クロック周波数ｆｃ’を他方のバンドパスフィルタ回路の動作クロック周波数ｆｃに対して、
ｆｃ’＝（３／４）・ｆｃ
に設定し、且つ、８個のうちのｎ（ｎ＝２〜８）番目の通過周波数ｆｎをｎ−１番目の通過周波数ｆｎ−１に対して、
ｆｎ＝２．２５・ｆｎ−１
に設定したことを特徴とするバンドパスフィルタ装置。
【発明の詳細な説明】
【０００１】
【発明の属する技術分野】
本発明は、複数の周波数のレベル信号を時分割的に得ることができるようにしたバンドパスフィルタ装置に関するものである。
【０００２】
【従来の技術】
例えば、音声信号の複数の離散的な周波数の個々の信号レベルを検出し表示する装置としてスペクトラム計測表示装置がある。これは、図９に示すように、入力する音声信号を、通過周波数が巡回的に逐次高速で切り替わるように制御されるスイッチドキャパシタ型のバンドパスフィルタ回路１に取り込み、ピークホールド回路２でその各通過周波数信号を検波するとともにそのピーク値を逐次検出して保持し、これを制御部３によりデジタル信号に変換し、表示ドライバ４により液晶表示装置５を駆動し、そこに音声信号の周波数スペクトルを表示するものである。
【０００３】
スイッチドキャパシタ型バンドパスフィルタ回路１は、図１０に示すように構成されている。ＯＰ１は積分器として機能する演算増幅器であって、その出力端子と反転入力端子との間に、ｍ個の帰還コンデンサＣ１１〜Ｃ１ｍのいずれか１つが選択的に接続される。このコンデンサの選択は、ｍ対のアナログスイッチＸ１１、Ｘ１２、・・・・、Ｘ１ｍのうちのいずれか一対のスイッチがスイッチ信号Ｍ１〜Ｍｍに制御されてオンすることにより行われる。このコンデンサＣ１１〜Ｃ１ｍにより積分定数が決定される。
【０００４】
ＯＰ２も同様の演算増幅器であって、その出力端子と反転入力端子との間に、ｍ個の帰還コンデンサＣ２１〜Ｃ２ｍのいずれか１つが選択的に接続される。このコンデンサの選択は、ｍ対のアナログスイッチＸ２１、Ｘ２２、・・・・・、Ｘ２ｍのうちのいずれか一対のスイッチがスイッチ信号Ｍ１〜Ｍｍに制御されてオンすることにより行われる。ここでも、コンデンサＣ２１〜Ｃ２ｍにより積分定数が決定される。
【０００５】
アナログスイッチＳ１〜Ｓ４とコンデンサＣｂからなる回路、アナログスイッチＳ５〜Ｓ８とコンデンサＣ３からなる回路、アナログスイッチＳ９〜Ｓ１４とコンデンサＣａ、Ｃｉからなる回路は、各々スイッチドキャパシタ回路を構成し、動作クロックφ１、φ２で駆動されることにより等価抵抗として機能する。クロックφ１は、それらスイッチＳ１〜Ｓ１４の奇数番目のスイッチ（Ｓ１、Ｓ３、Ｓ５、Ｓ７、Ｓ９、Ｓ１１、Ｓ１３）を駆動し、クロックφ２は偶数番目のスイッチ（Ｓ２、Ｓ４、Ｓ６、Ｓ８、Ｓ１０、Ｓ１２、Ｓ１４）を駆動する。
【０００６】
これらクロックφ１、φ２は、図１３に示すように、相互に位相が反転した同一周波数の２相クロックであり、入力音声信号の２倍以上の例えば、５０ＫＨｚ〜１００ＫＨｚの周波数に設定され、一方がアクティブ（「Ｈ」でスイッチをオンさせる）のとき他方が完全に非アクティブ（「Ｌ」でスイッチをオフさせる）となるようにデューティが設定されている。つまりクロックφ１、φ２は同時にはアクティブとはならない。
【０００７】
このバンドパスフィルタ回路１では、図１４に示すような、ｍ個のスイッチ信号Ｍ１〜Ｍｍが入力し、スイッチ信号Ｍ１のみが一定期間アクティブとなることによりコンデンサＣ１１とＣ２１が選択的に同時に接続され、次にスイッチ信号Ｍ２のみがアクティブになることによりコンデンサＣ１２とＣ２２が選択的に同時に接続され、・・・・・、次にスイッチ信号ＭｍのみがアクティブになることによりコンデンサＣ１ｍとＣ２ｍが選択的に同時に接続され、次にスイッチ信号Ｍ１のみがアクティブになることによりコンデンサＣ１１とＣ２１が選択的に同時に接続されるというように、逐次巡回的に積分用のコンデンサが切り替えられて、一巡当り演算増幅器ＯＰ１、ＯＰ２の積分定数の切り替えがｍ回行われ、これによりｍ個の通過周波数が切り替えられる。
【０００８】
すなわち、単位時間内にｍ個の通過帯域が時分割的に設定されるバンドパスフィルタ回路が実現される。このバンドパスフィルタ回路１のｎ番目の通過帯域の中心周波数ｆｏは、次の式（１）により決定される。ｆｃは動作クロックφ１、φ２の周波数である。
ｆｏ＝（ｆｃ／２π）・｛（Ｃａ・Ｃｂ）／（Ｃ１ｎ・Ｃ２ｎ）｝1/2 ・・・・（１）
【０００９】
図１１はピークホールド回路２の回路構成を示す図であり、演算増幅器ＯＰ３とその出力側に接続されたｐＭＯＳトランジスタＭＰ１、抵抗Ｒ１、Ｒ２、ホールド用コンデンサＣｐ、リセット用のｎＭＯＳトランジスタＭＮ１、ボルテージホロワとして機能する演算増幅器ＯＰ４から構成されている。演算増幅器ＯＰ３とトランジスタＭＰ１の組み合せもボルテージホロワを構成する。
【００１０】
このピークホールド回路２では、図１０に示したバンドパスフィルタ回路１の通過帯域切り替えのタイミング（スイッチ信号Ｍ１〜Ｍｍの切り替えタイミング）に発生するリセット信号ＲＳＴ（図１４参照）により、トランジスタＭＮ１を一時的に導通させることにより、それまでに蓄積されたコンデンサＣｐの電荷が放電される。この後、バンドパスフィルタ回路１の出力信号が入力して演算増幅器ＯＰ３の反転入力端子（ＩＮ）の電圧が上昇すると、その電圧に対応して出力電圧が低下し、トランジスタＭＰ１の導通度が高くなり、コンデンサＣｐへの電荷充電が加速度的に行われることにより、そのコンデンサＣｐに前記反転入力端子に印加する電圧に対応した電圧が発生する。そして、コンデンサＣｐの電圧レベルがその反転入力端子に印加する電圧のレベルよりも高くなると、演算増幅器ＯＰ３の出力電圧が高くなる方向に変化するので、トランジスタＭＰ１の導通度が低下してコンデンサＣｐへの充電電流が少なくなる。かくして、コンデンサＣｐには、反転入力端子に入力する電圧のピーク値に相当する電圧が充電され、リセットされるまでホールドされることになる。抵抗Ｒ１、Ｒ２はコンデンサＣｐへの充電電流のオーバーシュート防止用である。
【００１１】
図１２は制御部３の内部構成を示すブロック図である。３０１はＡ／Ｄ変換器で、ピークホールド回路２から出力するピークホールド信号をデジタル信号に変換する。３０２はマイクロコンピュータからなる制御部であって、Ａ／Ｄ変換器３０１で得られたデジタル信号を取り込んで表示のためのデータに変換する処理や、前記したバンドパスフィルタ回路１用のスイッチ信号Ｍ１〜Ｍｍ、動作クロックφ１、φ２、ピークホールド回路２のリセット信号ＲＳＴ等を発生する。
【００１２】
以上のように、従来のスイッチドキャパシタ型のバンドパスフィルタ回路１では、その通過周波数の数ｍは、演算増幅器ＯＰ１、ＯＰ２に接続されるコンデンサの数で決り、例えば４帯域の場合はｍ＝４となり、演算増幅器ＯＰ１では４個のコンデンサＣ１１〜Ｃ１４が巡回的に切り替えられ、演算増幅器ＯＰ２では４個のコンデンサＣ２１〜Ｃ２４が巡回的に切り替えられることとなる。
【００１３】
【発明が解決しようとする課題】
ところで、バンドパスフィルタ回路１によって通過周波数の信号レベル検出を行うためには、最低でも当該周波数の信号の１周期分の計測期間が必要であり、低域ほど長い計測時間が必要となる。しかも、１つの装置で計測する通過周波数の数が多くなれば、それだけ演算増幅器ＯＰ１、ＯＰ２に切替接続されるコンデンサの数が多くなり、全部の通過周波数の信号計測のための計測時間（サイクル）は相当長くなる。
【００１４】
例えば、図１５に示すように、１つの計測装置で４個（ｍ＝４）の通過周波数の信号レベルの計測を行うときの計測時間（但し、各周波数の計測時間を同じとする）をＴとすると、２倍の８個の（ｍ＝８）の通過周波数の信号レベルを計測するためには、その信号計測時間を２倍の２Ｔと長くする必要がある。このため、計測サイクルが長くなって、個々の通過周波数のスペクトルが同時的に表示されるのではなく順次的に表示される状態に近くなり、スペクトラム表示が不自然なものとなる。しかし、この計測時間を短くすると、低域の信号を正確に計測できないという問題が起こる。
【００１５】
本発明は以上のような点に鑑みてなされたものであり、その目的は、信号レベルを検出すべき通過周波数の数を増加させた際でも全周波数の検出に必要な時間が短くできるようにしたバンドパスフィルタ装置を提供することである。
【００１６】
【課題を解決するための手段】
このために第１の発明は、４個の通過帯域を順次巡回的に切り替えて各通過帯域の周波数のレベル信号を時分割的に出力する同一構成の２個のスイッチドキャパシタ型のバンドパスフィルタ回路を具備し、両バンドパスフィルタ回路に同一の信号を入力させ、一方のバンドパスフィルタ回路の動作クロック周波数ｆｃ’を他方のバンドパスフィルタ回路の動作クロック周波数ｆｃに対して、ｆｃ’＝（５／１２）・ｆｃに設定し、且つ、４個のうちのｎ（ｎ＝２〜４）番目の通過周波数ｆｎをｎ−１番目の通過周波数ｆｎ−１に対して、ｆｎ＝６・ｆｎ−１に設定して構成した。
第２の発明は、８個の通過帯域を順次巡回的に切り替えて各通過帯域の周波数のレベル信号を時分割的に出力する同一構成の２個のスイッチドキャパシタ型のバンドパスフィルタ回路を具備し、両バンドパスフィルタ回路に同一の信号を入力させ、一方のバンドパスフィルタ回路の動作クロック周波数ｆｃ’を他方のバンドパスフィルタ回路の動作クロック周波数ｆｃに対して、ｆｃ’＝（３／４）・ｆｃに設定し、且つ、８個のうちのｎ（ｎ＝２〜８）番目の通過周波数ｆｎをｎ−１番目の通過周波数ｆｎ−１に対して、ｆｎ＝２．２５・ｆｎ−１に設定して構成した。
【００１７】
【発明の実施の形態】
［第１の実施の形態］
図１は本発明の第１の実施の形態の信号スペクトラム計測装置の構成を示す図である。１１Ａは周波数の切替数ｍ＝４（つまり図１０におけるスイッチ信号がＭ１〜Ｍ４）のスイッチドキャパシタ型のバンドパスフィルタ回路、１２Ａはピークホールド回路（図１１に示したものと同じ構成）であり、これらによって第１の計測回路１０Ａが構成されている。また、１１Ｂは同様に周波数の切替数ｍ＝４（スイッチ信号がＭ１’〜Ｍ４’）で且つ前記したバンドパスフィルタ回路１１Ａと同一構成で同一回路定数のスイッチドキャパシタ型のバンドパスフィルタ回路、１２Ｂは前記したピークホールド回路１２Ａと同一構成で同一回路定数のピークホールド回路であり、これらによって第２の計測回路１０Ｂが構成されている。そして、これら両計測回路１０Ａ、１０Ｂには同一の音声信号が入力し、各々の出力信号は制御部１３に出力する。この制御部１３から出力する表示用信号が表示ドライバ（図示せず）を介して８個の周波数スペクトラム用の液晶表示装置（図示せず）で表示される。
【００１８】
そして、バンドパスフィルタ回路１１Ａに対するスイッチ信号Ｍ１〜Ｍ４とバンドパスフィルタ回路１１Ｂに対するスイッチ信号Ｍ１’〜Ｍ４’は、図２に示すような位相関係（同一にならないタイミング関係）にある。ピークホールド回路１２Ａのリセット信号ＲＳＴとピークホールド回路１２Ｂのリセット信号ＲＳＴ’も、図２に示すようにずれた位相関係にある。
【００１９】
この実施の形態では、各計測装置１０Ａ、１０Ｂにおける通過周波数の数ｍが４であるので、第１の計測装置１０Ａでは、スイッチ信号Ｍ１で周波数ｆ１が、スイッチ信号Ｍ２で周波数ｆ２が、スイッチ信号Ｍ３で周波数ｆ３が、スイッチ信号Ｍ４で周波数ｆ４が、各々設定されるようにして、これら周波数ｆ１〜ｆ４のうちのｎ番目の周波数ｆｎをｎ−１番目の周波数ｆｎ−１に対して、
0003802968.tif 000002
となるよう設定する。ｎ＝２〜ｍである。
【００２０】
第２の計測装置１０Ｂでは、スイッチ信号Ｍ１’で周波数ｆ１’が、スイッチ信号Ｍ２’で周波数ｆ２’が、スイッチ信号Ｍ３’で周波数ｆ３’が、スイッチ信号Ｍ４’で周波数ｆ４’が、各々設定されるようにする。
【００２１】
ここで、バンドパスフィルタ回路１１Ａの動作クロックφ１、φ２の周波数をｆｃとするとき、バンドパスフィルタ回路１１Ｂの動作クロックφ１’、φ２’の周波数ｆｃ’を、
0003802968.tif 000003
とする。
【００２２】
スイッチドキャパシタ型のバンドパスフィルタ回路の通過周波数は、動作クロック周波数に比例し、回路中のコンデンサの容量値が同じであれば、その動作クロック周波数が例えば１／２になれば、通過周波数も１／２になる。
【００２３】
したがって、前記式（３）に示したようにバンドパスフィルタ回路１１Ａの動作クロックφ１、φ２の周波数ｆｃに対して、バンドパスフィルタ回路１１Ｂの動作クロックφ１’、φ２’の周波数を（５／１２）ｆｃにすると、ｎ番目のスイッチ信号Ｍｎで設定したバンドパスフィルタ回路１１Ａの通過周波数ｆｎと、ｎ’番目のスイッチ信号Ｍｎ’で設定したバンドパスフィルタ回路１１Ｂの通過周波数ｆｎ’とは、次のような関係になる。
ｆｎ’＝（５／１２）・ｆｎ                            ・・・（４）
【００２４】
以上から、第１の計測装置１０Ａの通過周波数ｆ１を、ｆ１＝７４Ｈｚに設定すれば、前記した式（２）から、図４に示すように、
ｆ２＝６・ｆ１＝４４４Ｈｚ
ｆ３＝６・ｆ２＝２．６７ＫＨｚ
ｆ４＝６・ｆ３＝１６ＫＨｚ
となる。
【００２５】
これに応して式（４）から、第２の計測装置１０Ｂの通過周波数は
ｆ１’＝（５／１２）・ｆ１＝３０．８Ｈｚ
ｆ２’＝（５／１２）・ｆ２＝１８５Ｈｚ
ｆ３’＝（５／１２）・ｆ３＝１．１１ＫＨｚ
ｆ４’＝（５／１２）・ｆ４＝６．６７ＫＨｚ
となる。そして、各通過周波数の関係は、ｆ１’＜ｆ１＜ｆ２’＜ｆ２＜ｆ３’＜ｆ３＜ｆ４’＜ｆ４となり、しかもこれらは対数表示の周波数軸上にはぼ等間隔に並ぶようになる。
【００２６】
このように、本実施の形態では、各計測装置１０Ａ、１０Ｂにおいて１サイクルで計測する通過周波数の数を４とし、これを並列的に計測するので、全通過周波数の数が２倍の８となったにも拘らず、図４に示すように、１サイクルの計測時間を４つの通過周波数の計測時間内にほぼ収めることができる。
【００２７】
なお、この第１の実施の形態では、スイッチ信号Ｍ１〜Ｍ４に対するスイッチ信号Ｍ１’〜Ｍ４’の位相、リセット信号ＲＳＴに対するリセット信号ＲＳＴ’の位相を、各々πだけずらせているので、合計計測時間は１．１３Ｔとなるが、共通のスイッチ信号Ｍ１〜Ｍ４、共通のリセット信号ＲＳＴを両計測装置１０Ａ、１０Ｂに与えて、その両計測装置１０Ａ、１０Ｂから同じタイミングで２個のスペクトル信号を同時に出力させるようにすれば、合計計測時間はＴとなる。この場合は、制御部１３において、同時に得られた２個のスペクトル信号を時間的に互いにずらせて表示用信号とすれば良い。
【００２８】
［第２の実施の形態］
図５は第２の実施の形態の信号スペクトラム計測装置の構成を示す図である。２１Ａは周波数の切替数ｍ＝８（つまり図１０におけるスイッチ信号がＭ１〜Ｍ８）のスイッチドキャパシタ型のバンドパスフィルタ回路、２２Ａはピークホールド回路（図１１に示したものと同じ構成）であり、これらによって第１の計測回路２０Ａが構成されている。また、２１Ｂは同様に周波数の切替数ｍ＝８（スイッチ信号がＭ１’〜Ｍ８’）で且つ前記したバンドパスフィルタ回路２１Ａと同一構成で同一回路定数のスイッチドキャパシタ型のバンドパスフィルタ回路、２２Ｂは前記したピークホールド回路２２Ａと同一構成で同一回路定数のピークホールド回路であり、これらによって第２の計測回路２０Ｂが構成されている。そして、これら両計測回路２０Ａ、２０Ｂには同一の音声信号が入力し、出力信号は制御部２３に出力する。この制御部２３から出力する表示用信号が表示ドライバ（図示せず）を介して１６個の周波数スペクトラム用の液晶表示装置（図示せず）で表示される。
【００２９】
そして、バンドパスフィルタ回路２１Ａに対するスイッチ信号Ｍ１〜Ｍ８とバンドパスフィルタ回路２１Ｂに対するスイッチ信号Ｍ１’〜Ｍ８’は、図６に示すような位相関係（同一にならないタイミング関係）にある。ピークホールド回路２２Ａのリセット信号ＲＳＴとピークホールド回路２２Ｂのリセット信号ＲＳＴ’も、図６に示すようにずれた位相関係にある。
【００３０】
この実施の形態では、各計測装置２０Ａ、２０Ｂにおける通過周波数の数ｍが８であるので、第１の計測装置２０Ａでは、スイッチ信号Ｍ１で周波数ｆ１が、スイッチ信号Ｍ２で周波数ｆ２が、スイッチ信号Ｍ３で周波数ｆ３が、スイッチ信号Ｍ４で周波数ｆ４が、スイッチ信号Ｍ５で周波数ｆ５が、スイッチ信号Ｍ６で周波数ｆ６が、スイッチ信号Ｍ７で周波数ｆ７が、スイッチ信号Ｍ８で周波数ｆ８が、各々設定されるようにして、これら周波数ｆ１〜ｆ８のうちのｎ番目の周波数ｆｎをｎ−１番目の周波数ｆｎ−１に対して、
0003802968.tif 000004
となるよう設定する。ｎ＝２〜ｍである。
【００３１】
第２の計測装置２０Ｂでは、スイッチ信号Ｍ１’で周波数ｆ１’が、スイッチ信号Ｍ２’で周波数ｆ２’が、スイッチ信号Ｍ３’で周波数ｆ３’が、スイッチ信号Ｍ４’で周波数ｆ４’が、スイッチ信号Ｍ５’で周波数ｆ５’が、スイッチ信号Ｍ６’で周波数ｆ６’が、スイッチ信号Ｍ７’で周波数ｆ７’が、スイッチ信号Ｍ８’で周波数ｆ８’が、各々設定されるようにする。
【００３２】
ここで、バンドパスフィルタ回路２１Ａの動作クロックφ１、φ２の周波数をｆｃとするとき、バンドパスフィルタ回路１１Ｂの動作クロックφ１’、φ２’の周波数ｆｃ’を、
0003802968.tif 000005
とする。
【００３３】
したがって、前述した第１の実施の形態と同様に、ｎ番目のスイッチ信号Ｍｎで設定したバンドパスフィルタ回路２１Ａの通過周波数ｆｎと、ｎ’番目のスイッチ信号Ｍｎ’で設定したバンドパスフィルタ回路２１Ｂの通過周波数ｆｎ’とは、次のような関係になる。
ｆｎ’＝（３／４）・ｆｎ                              ・・・（６）
【００３４】
以上から、第１の計測装置２０Ａの通過周波数ｆ１を、ｆ１＝６２Ｈｚに設定すれば、前記した式（４）から、図８に示すように、
ｆ２＝２．２５ｆ１＝１４０Ｈｚ
ｆ３＝２．２５ｆ２＝３１４Ｈｚ
ｆ４＝２．２５ｆ３＝７０６Ｈｚ
ｆ５＝２．２５ｆ４＝１．５９ＫＨｚ
ｆ６＝２．２５ｆ５＝３．５８ＫＨｚ
ｆ７＝２．２５ｆ６＝８ＫＨｚ
ｆ８＝２．２５ｆ７＝１８ＫＨｚ
となる。
【００３５】
これに応じて式（６）から、第２の計測装置２０Ｂの通過周波数は
ｆ１’＝（３／４）ｆ１＝４７Ｈｚ
ｆ２’＝（３／４）ｆ２＝１０５Ｈｚ
ｆ３’＝（３／４）ｆ３＝２３６Ｈｚ
ｆ４’＝（３／４）ｆ４＝５３０Ｈｚ
ｆ５’＝（３／４）ｆ５＝１．１９ＫＨｚ
ｆ６’＝（３／４）ｆ６＝２．６９ＫＨｚ
ｆ７’＝（３／４）ｆ７＝６ＫＨｚ
ｆ８’＝（３／４）ｆ８＝１３．５ＫＨｚ
となる。そして、各通過周波数の関係は、ｆ１’＜ｆｌ＜ｆ２’＜ｆ２＜ｆ３’＜ｆ３＜ｆ４’＜ｆ４＜ｆ５’＜ｆ５＜ｆ６’＜ｆ６＜ｆ７’＜ｆ７＜ｆ８’＜ｆ８となり、しかもこれらの各周波数は対数表示の周波数紬上にほぼ等間隔に並ぶようになる。
【００３６】
このように、本実施の形態では、各計測装置２０Ａ、２０Ｂにおいて１サイクルで計測する通過周波数の数を８とし、これを並列的に計測するので、全通過周波数の数が２倍の１６となったにも拘らず、図７に示すように、１サイクルの計測時間を４つの通過周波数の計測時間内にほぼ収めることができる。
【００３７】
なお、この第２の実施の形態では、スイッチ信号Ｍ１〜Ｍ８に対するスイッチ信号Ｍ１’〜Ｍ８’の位相、リセット信号ＲＳＴに対するリセット信号ＲＳＴ’の位相を、各々πだけずらせているので、合計計測時間は１．０６Ｔとなるが、共通のスイッチ信号Ｍ１〜Ｍ８、共通のリセット信号ＲＳＴを両計測装置２０Ａ、２０Ｂに与えて、その両計測装置２０Ａ、２０Ｂから同じタイミングで２個のスペクトル信号を同時に出力させるようにすれば、合計計測時間はＴとなる。この場合は、制御部２３において、同時に得られた２個のスペクトル信号を時間的に互いにずらせて表示用信号とすれば良い。
【００３８】
［その他の実施の形態］
なお、以上の第１、第２の実施の形態では、それぞれ１種類の周波数設定について説明したが、最初に決める周波数ｆ１（又はｆ４或はｆ８）をもう少し高く設定すれば、全部の通過周波数が高い周波数の側にシフトし、低く設定すれば低い周波数の側にシフトするようになるので、この周波数ｆ１を適宜設定することにより、複数の通過周波数の配分のバランスをとることができる。
【００３９】
また、バンドパスフィルタ回路とピークホールド回路の組を２組構成するとき、一方の組をマスタ、他方の組をスレーブとして、マスタ側にスイッチ信号、リセット信号、動作クロック等を発生する回路を設け、スレーブ側にマスタ側から同一あるいは位相をずらせたスイッチ信号やリセット信号を供給し、また周波数を調整した動作クロックを供給するように構成することもできる。
【００４１】
【発明の効果】
以上から本発明によれば、多数の通過周波数信号を短い時間で得ることできるので、これをスペクトラム計測装置に適用すれば、その表示を自然なものにすることができ、またこのとき低域の通過周波数の計測精度が低下することもないという利点がある。
【図面の簡単な説明】
【図１】  本発明の第１の実施の形態のスペクトラム計測装置の構成を示すブロック図である。
【図２】  同実施の形態のスペクトラム計測装置のスイッチ信号とリセット信号の波形図である。
【図３】  同実施の形態のスペクトラム計測装置の逐次切替周波数の振り分けの説明図である。
【図４】  同実施の形態のスペクトラム計測装置のスペクトラム周波数の振り分けの説明図である。
【図５】  本発明の第２の実施の形態のスペクトラム計測装置の構成を示すブロック図である。
【図６】  同実施の形態のスペクトラム計測装置のスイッチ信号とリセット信号の波形図である。
【図７】  同実施の形態のスペクトラム計測装置の逐次切替周波数の振り分けの説明図である。
【図８】  同実施の形態のスペクトラム計測装置のスペクトラム周波数の振り分けの説明図である。
【図９】  従来のスペクトラム計測装置の構成を示すブロック図である。
【図１０】  スイッチドキャパシタ型のバンドパスフィルタ回路の回路図である。
【図１１】  ピークホールド回路の回路図である。
【図１２】  制御部の構成を示すブロック図である。
【図１３】  動作クロックの波形図である。
【図１４】  従来のスペクトラム計測装置のスイッチ信号とリセット信号の波形図である。
【図１５】  従来のスペクトラム計測装置の切替周波数の説明図である。
【図１】
0003802968.tif 000006
【図２】
0003802968.tif 000007
【図３】
0003802968.tif 000008
【図４】
0003802968.tif 000009
【図５】
0003802968.tif 000010
【図６】
0003802968.tif 000011
【図７】
0003802968.tif 000012
【図８】
0003802968.tif 000013
【図９】
0003802968.tif 000014
【図１０】
0003802968.tif 000015
【図１１】
0003802968.tif 000016
【図１２】
0003802968.tif 000017
【図１３】
0003802968.tif 000018
【図１４】
0003802968.tif 000019
【図１５】
0003802968.tif 000020